(57)【要約】      （修正有）【課題】騒音や振動が殆ど無く、コンプレッサーを使用しないで、圧縮空気を送り込み、二流体ノズルから香料を噴霧する香料噴霧装置を提供する。【解決手段】箱体１と空気圧送装置２と噴霧ノズル内蔵型微粒子発生容器３から成り、箱体上部１ａの端面に排出口１ａ’を有する上蓋を設け、箱体中部に上部箱体１ｂと下部箱体１ｃを接続する中継部材１ｄと装置の作動状況を表示する照明器具を埋設可能に設けた埋設部材１ｅを一体に嵌合して設け、箱体の下部底面には空気圧送装置２を設置する基台１ｆと基台の外周部に左右二分割して下部箱体の内周面に重合密着させた截頭円錐状機器取付用部材を固着し、且つ、該噴霧ノズル内蔵型微粒子発生容器は上部に香料と水の混合水を補給する補給口３ｂと下部側面に空気給入口と内部に噴霧ノズル３ｆ，３ｇをそれぞれ設けた容器本体３ａと、容器本体の補給口部３ｂに装着して微粒子の排出方向を調整可能に設けた排出管から成る。【選択図】図６
0003153365.tif 000002
【実用新案登録請求の範囲】
【請求項１】
圧縮した空気を筒状容器の中心底部の配管路を経由して噴霧ノズル内蔵容器に送り込み、噴霧ノズル内蔵容器内に設けたエッセンシャルオイル又はアロマオイル等の癒し系オイルを含んだ混合水を、毛細管現象を利用して超微粒子状態にした香料を空気中に拡散させる噴霧装置において、該装置は主として上部・中部・下部に三分割された箱体（１）と、圧縮空気（ＣＡ）を発生させる空気圧送装置（２）と、香料と水の混合水（Ｗ）を注入し、圧縮空気（ＣＡ）を吸入して超微粒子の霧状のマイクロミスト（Ｍ）を排出させる噴霧ノズル内蔵型微粒子発生容器（３）から成り、且つ、箱体（１）の上部端面には超微粒子の霧状のマイクロミスト（Ｍ）を排出させる排出口（１ａ'）を有する上蓋（１ａ）を設け、箱体（１）の中部には上部箱体（１ｂ）と下部箱体（１ｃ）を接続する中継部材（１ｄ）と装置の作動状況を表示する為の発光ダイオード等の照明器具（Ｌ）を埋設可能に設けた埋設部材（１ｅ）を一体に嵌合して設け、箱体の下部底面には空気圧送装置（２）を設置する為の基台（１ｆ）と基台の外周部に左右二分割して下部箱体（１ｃ）の内周面に重合密着させた截頭円錐状の機器取付用部材（１ｇ）を固着して設け、且つ、該噴霧ノズル内蔵型微粒子発生容器（３）は、上部に香料と水の混合水（Ｗ）を補給する補給口（３ｂ）と下部側面に空気給入口（３ｃ）と内部に噴霧ノズル（３ｆ）（３ｇ）をそれぞれ設けた容器本体（３ａ）と、容器本体の補給口（３ｂ）部に装着して微粒子の排出方向を調整可能に設けた排出管（３ａ）から成り、且つ、使用時は筒状容器内部に癒し系オイル（Ｏ）を含んだ混合水（Ｗ）を注入し、空気圧送装置（２）により圧送された圧縮空気（ＣＡ）と癒し系オイル（Ｏ）を含んだ混合水（Ｗ）をノズル先端から噴射させ、且つ、筒状容器内部の壁（３ｄ）に衝突させて超微粒子の霧状のマイクロミスト（Ｍ）を排出させる事を特徴とする香料噴霧装置。
【請求項２】
容器本体（３ａ）内部に設けた噴霧ノズル（３ｆ）（３ｇ）の上部に、超微粒子を発生させる為の壁板部（３ｄ）を設けた事を特徴とする請求項１記載の香料噴霧装置。
【考案の詳細な説明】
【技術分野】
【０００１】
この考案は、香料噴霧装置に関するものである。
【背景技術】
【０００２】
従来、香料は食品に香りと味の一部を付与する食品添加物であるフレーバー（食品香料）と、食品以外のものに香りを付けるフレグランス（香粧品香料）に大別され、一般に香料は、様々な植物や一部の動物から抽出された天然香料を多数調合して作られる。これらはフレーバー、フレグランスにかかわらず調合香料と呼ばれる。しかし、本考案の香料噴霧装置に使用する香料は天然香料で植物から抽出された精油である。
【０００３】
そして、これまでの香料噴霧装置によれば空気を圧縮する為の装置としてコンプレッサーが必要であった。しかし、コンプレッサーを設置するには、それなりのスペースが必要であり、更に、騒音、振動等が生じる等の問題があった。
【０００４】
そこで、上記問題を解決すべく騒音や振動が殆ど無く、コンプレッサーを使用しないで、圧縮空気を送り込み、二流体ノズルから香料を噴霧する香料噴霧装置の早期開発が望まれている。
【０００５】
これまでに出願されている香料噴霧装置の特許文献を参考の為、紹介する（特許文献１〜３参照）。
【特許文献１】実開平５−０１９８２６
【特許文献２】特開平６−１７４２６４
【特許文献３】特開２００２−２８２２３１
【考案の開示】
【考案が解決しようとする課題】
【０００６】
そこで、上記課題を解決する為に、この考案は騒音や振動が殆ど無く、コンプレッサーを使用しないで、圧縮空気を送り込み、二流体ノズルから香料を噴霧する香料噴霧装置を開発・提供する事にある。
【課題を解決するための手段】
【０００７】
この課題を解決するための手段として、主として上部・中部・下部に三分割された箱体と、圧縮空気を発生させる空気圧送装置と、香料と水の混合水を注入し、圧縮空気を吸入して超微粒子の霧状のマイクロミストを排出させる噴霧ノズル内蔵型微粒子発生容器から成り、且つ、箱体の上部端面には超微粒子の霧状のマイクロミストを排出させる排出口を有する上蓋を設け、箱体の中部には上部箱体と下部箱体を接続する中継部材と装置の作動状況を表示する為の発光ダイオード等の照明器具を埋設可能に設けた埋設部材を一体に嵌合して設け、箱体の下部底面には空気圧送装置を設置する為の基台と基台の外周部に左右二分割して下部箱体の内周面に重合密着させた截頭円錐状の機器取付用部材を固着して設け、且つ、該噴霧ノズル内蔵型微粒子発生容器は、上部に香料と水の混合水を補給する補給口と下部側面に空気給入口と内部に噴霧ノズルをそれぞれ設けた容器本体と、容器本体の補給口部に装着して微粒子の排出方向を調整可能に設けた排出管から成り、且つ、使用時は筒状容器内部に癒し系オイルを含んだ混合水を注入し、空気圧送装置により圧送された圧縮空気と癒し系オイルを含んだ混合水をノズル先端から噴射させ、且つ、筒状容器内部の壁に衝突させて超微粒子の霧状のマイクロミストを排出させるものである。
【０００８】
又、容器本体内部に設けた噴霧ノズルの上部に、超微粒子を発生させる為の壁板部を設けたものである。
【考案の効果】
【０００９】
この考案の効果として、主として上部・中部・下部に三分割された箱体と、圧縮空気を発生させる空気圧送装置と、香料と水の混合水を注入し、圧縮空気を吸入して超微粒子の霧状のマイクロミストを排出させる噴霧ノズル内蔵型微粒子発生容器から成り、且つ、箱体の上部端面には超微粒子の霧状のマイクロミストを排出させる排出口を有する上蓋を設け、箱体の中部には上部箱体と下部箱体を接続する中継部材と装置の作動状況を表示する為の発光ダイオード等の照明器具を埋設可能に設けた埋設部材を一体に嵌合して設け、箱体の下部底面には空気圧送装置を設置する為の基台と基台の外周部に左右二分割して下部箱体の内周面に重合密着させた截頭円錐状の機器取付用部材を固着して設け、且つ、該噴霧ノズル内蔵型微粒子発生容器は、上部に香料と水の混合水を補給する補給口と下部側面に空気給入口と内部に噴霧ノズルをそれぞれ設けた容器本体と、容器本体の補給口部に装着して微粒子の排出方向を調整可能に設けた排出管から成り、且つ、使用時は筒状容器内部に癒し系オイルを含んだ混合水を注入し、空気圧送装置により圧送された圧縮空気とオイルを含んだ混合水をノズル先端から噴射させ、且つ、筒状容器内部の壁に衝突させて超微粒子の霧状のマイクロミストを排出させて短時間で広範囲に香りを漂わせることが出来、静かで安心して長時間香りを楽しむ事が可能である。又、マイナスイオンを発生させる事で、癒し系オイルの効果との相乗効果により、心身のリラックスとリフレッシュに役立ち、更に熱源を使用しない為、火災や火傷の心配が無く、小さなお子様のいるお部屋等でも安心して使用可能である等、極めて有益なる効果を奏するものである。
【考案を実施するための最良の形態】
【００１０】
この考案を実施するための最良の形態として、装置本体の形状及び内部部品は品質・機能・コストを考慮し、且つ、安全性・安定性、操作性、耐久性、美観等に優れたものに仕上げる事が重要である。
【実施例１】
【００１１】
そこで、この考案の一実施例を図１〜図７に基づいて詳述すると、圧縮した空気を筒状容器の中心底部の配管路を経由して噴霧ノズル内蔵容器に送り込み、噴霧ノズル内蔵容器内に設けたエッセンシャルオイル又はアロマオイル等の癒し系オイルを含んだ混合水を、毛細管現象を利用して超微粒子状態にした香料を空気中に拡散させる噴霧装置において、該装置は主として上部・中部・下部に三分割された箱体（１）と、圧縮空気（ＣＡ）を発生させる空気圧送装置（２）と、香料と水の混合水（Ｗ）を注入し、圧縮空気（ＣＡ）を吸入して超微粒子の霧状のマイクロミスト（Ｍ）を排出させる噴霧ノズル内蔵型微粒子発生容器（３）から成り、且つ、箱体（１）の上部端面には超微粒子の霧状のマイクロミスト（Ｍ）を排出させる排出口（１ａ'）を有する上蓋（１ａ）を設け、箱体（１）の中部には上部箱体（１ｂ）と下部箱体（１ｃ）を接続する中継部材（１ｄ）と装置の作動状況を表示する為の発光ダイオード等の照明器具（Ｌ）を埋設可能に設けた埋設部材（１ｅ）を一体に嵌合して設け、箱体の下部底面には空気圧送装置（２）を設置する為の基台（１ｆ）と基台の外周部に左右二分割して下部箱体（１ｃ）の内周面に重合密着させた截頭円錐状の機器取付用部材（１ｇ）を固着して設け、且つ、該噴霧ノズル内蔵型微粒子発生容器（３）は、上部に香料と水の混合水（Ｗ）を補給する補給口（３ｂ）と下部側面に空気給入口（３ｃ）と内部に噴霧ノズル（３ｆ）（３ｇ）をそれぞれ設けた容器本体（３ａ）と、容器本体の補給口（３ｂ）部に装着して微粒子の排出方向を調整可能に設けた排出管（３ａ）から成り、且つ、使用時は筒状容器内部に癒し系オイル（Ｏ）を含んだ混合水（Ｗ）を注入し、空気圧送装置（２）により圧送された圧縮空気（ＣＡ）と癒し系オイル（Ｏ）を含んだ混合水（Ｗ）をノズル先端から噴射させ、且つ、筒状容器内部の壁（３ｄ）に衝突させて超微粒子の霧状のマイクロミスト（Ｍ）を排出させる事を特徴とする香料噴霧装置から構成される。
【００１２】
又、容器本体（３ａ）内部に設けた噴霧ノズル（３ｆ）（３ｇ）の上部に、超微粒子を発生させる為の壁板部（３ｄ）を設けた事を特徴とする香料噴霧装置から構成される。
【００１３】
次に、この考案の構造について説明すると、この装置は図５〜図７に示すように外形の大きさが直径約 ８７ｍｍ×高さ寸法約２６３ｍｍで、上部と中間部と下部に三分割された箱体（１）と、装置の基台（１ｆ）上面内側にモートル等の回転手段とファン等を組み合わせて設けた空気圧送装置（２）と、容器本体（３ａ）の中心底部に圧縮空気（ＣＡ）を導入する為の配管路口（３ｃ）を設け、且つ、内部中程に超微粒子の霧状のマイクロミスト（Ｍ）を発生させる為の突起状の壁（３ｄ）を設け、且つ、上端補給口（３ｂ）部に拡散用上蓋（３ｅ）を設置して設けた微粒子発生装置（３）から成るものである。そして、上記箱体の中継部材（１ｄ）と下部箱体（１ｃ）の内面に重合して設けた二分割型機器取付用部材（１ｇ）はビス等の係止部材で固着されている。又、中継部材（１ｄ）の上端外周部には抜け出し防止用のリングが設けられ、中継部材（１ｄ）に上部箱体（１ｂ）を嵌着時は、図４に示すように相互の矢印マーク（ＹＭ）（ＹＭ）の左右方向の位置が一致するように合わせて挿入すればスムーズに確実に嵌着できる。又、上部箱体（１ｂ）の内周面には容器本体（３ａ）が左右に触れて破損しないように破損防止用のゴム板（１ｂ'）が貼着されている。
【００１４】
又、上記空気圧送装置（２）は、基台（１ｆ）上面中心部にビス等の係止部材で螺着して設けた取付板（２ｂ）と支持部材（２ｃ）で固着され、且つ、該下部箱体（１ｃ）の内周面に重合密着させて設けた機器取付用部材（１ｇ）正面側には装置の作動を制御するプリント基板を設け、又、下部箱体（１ｃ）の正面側には速度調整用切替スィッチ（ＳＷ３）とタイマー設定用切替スィッチ（ＳＷ２）と繰り返し運転用切替スィッチ（ＳＷ１）をそれぞれ設け、下部箱体（１ｃ）の裏面側には電気を供給する為のＡＣアダプター（ＡＤ）接続用差込器具（Ｃ）を設けている。
【００１５】
又、本装置の上下中間部に設けた中継部材（１ｄ）上面の中心部には微粒子発生容器（３）を装着する為の軟質ゴム製のブッシング（１ｄ"）を嵌着し、且つ、該中継部材（１ｄ）の内周面には複数の発光ダイオード等の照明器具（Ｌ）をそれぞれ埋設可能に設けた略円筒状の埋設部材（１ｅ）を一体に嵌合して設けている。
【００１６】
そして、空気圧送装置（２）上部に設けた空気排出口（２ａ）と微粒子発生装置（２）の下部側面に設けた空気導入用配管路口（３ｃ）間はシリコンゴム製の接続ホースで接続されている。
【００１７】
次に、本考案の超微粒子を発生させる仕組みについて概要を説明すると、まず、空気圧送装置（２）から排出された圧縮空気（ＣＡ）は、接続ホース（ＪＨ）を経由して微粒子発生装置（３）内に設けた空気排出側の噴射ノズル（３ｆ）から空気を勢いよく排出すると同時に香料排出側の噴射ノズル（３ｇ）から毛細管現象により混合水（Ｗ）（エッセンシャルオイル又はアロマオイル）を吹き飛ばす様に排出して霧状のマイクロミストを発生させ、更に容器本体の突起状壁に衝突させる事で、更に超微粒子のマイクロミストを発生させる。そして、発生した超微粒子は容器本体（３ａ）の上部に設けた拡散用上蓋（３ｅ）を経由して大気中に拡散される。
【００１８】
次に、この考案の操作方法及び機能について説明すると、まず、最初に香料噴霧装置本体にＡＣアダプター（ＡＤ）を接続し、プラグをコンセントに差し込む。そして、最下部の電源・速度調節用切替スィッチ（ＳＷ３）を押すと電源が入りピンク色のランプが点灯する。そして、この切替スィッチ（ＳＷ３）は１回押すたびに速度がＬｏｗ（弱）→Ｍｉｄ（中）→Ｈｉ（強）→Ｏｆｆ（電源）の順番に繰り返し切り替わる。従って、この切替スィッチ（ＳＷ３）で香りの強弱調節を行うことが可能である。
【００１９】
次に、中間部のタイマー設定用切替スィッチ（ＳＷ２）を１回押すたびに連続作動時間が、３０分→６０分→９０分→１２０分→Ｏｆｆの順番に切り替わり、且つ、同時にピンク色のランプもそれに連動して点灯位置が移動する為、点灯位置を見れば設定状況が確認できる。
【００２０】
次に、最上部のインターバル（繰り返し運転）用切替スィッチ（ＳＷ１）を押すと、約５分間作動→約８分間停止の運転を繰り返し行い、再度押すと連続運転に切り替わる。この時、作動中はピンク色のランプが点灯し、停止中はピンク色のランプが点滅する。
【産業上の利用可能性】
【００２１】
この考案の香料噴霧装置は、騒音や振動が殆ど無く、コンプレッサーを使用しないで、圧縮空気を送り込み、二流体ノズルから香料を噴霧する事で、多くの市場に寄与する為、産業上の利用可能性を有する。
【図面の簡単な説明】
【００２２】
【図１】この考案の一実施例を示し、正面図である。
【図２】この考案の一実施例を示し、右側面図である。
【図３】この考案の一実施例を示し、（Ａ）は平面図で、（Ｂ）は底面図である。
【図４】この考案の一実施例を示し、背面図である。
【図５】この考案の一実施例を示し、図１のａ−ａ矢視断面図である。
【図６】この考案の一実施例を示し、図２のｂ−ｂ矢視断面図である。
【図７】この考案の一実施例を示し、図２のｃ−ｃ矢視断面図である。
【図８】この考案の使用例を示し、香料噴霧状態図である。
【符号の説明】
【００２３】
１  箱体
１ａ  箱体上部
１ａ'   排出口
１ａ"  抜け出し防止用リング
１ｂ  上部箱体
１ｂ'  破損防止用ゴム板
１ｃ  下部箱体
１ｄ  中継部材
１ｄ'  抜け出し防止用リング
１ｄ"  微粒子発生容器装着用ブッシング
１ｅ  埋設部材
１ｆ  基台
１ｇ  機器取付用部材
２  空気圧送装置
２ａ  空気排出口
２ｂ  取付板
２ｃ  支持部材
３  微粒子発生装置
３ａ  容器本体
３ａ'  係止用突起部
３ｂ  補給口
３ｃ  配管路口
３ｄ  突起状壁
３ｅ  拡散用上蓋
３ｅ'  固定部材
３ｆ  噴射ノズル（空気排出側）
３ｇ  噴射ノズル（香料排出側）
ＡＤ  ＡＣアダプター
Ｂ  係止用ビス
Ｃ  差込器具
ＣＡ  圧縮空気
ＪＨ  接続ホース
Ｋ  プリント基板
Ｌ  発光ダイオード等の照明
Ｍ  マイクロミスト
Ｏ  癒し系オイル
ＳＷ１  切替スィッチ（電源・速度調節用）
ＳＷ２  切替スィッチ（タイマー設定用）
ＳＷ３  切替スィッチ（繰り返し運転用）
Ｗ  混合水
ＹＭ  矢印マーク
【図１】
0003153365.tif 000003
【図２】
0003153365.tif 000004
【図３】
0003153365.tif 000005
【図４】
0003153365.tif 000006
【図５】
0003153365.tif 000007
【図６】
0003153365.tif 000008
【図７】
0003153365.tif 000009
【図８】
0003153365.tif 000010